(57)【要約】【課題】作業するための床下空間を確保できる床梁を提供する。【解決手段】ウェブ１１と、ウェブ１１の上縁に接合された上部フランジ１２と、ウェブ１１の下縁に接合された下部フランジ１３とを備えて床梁を構成する。上部フランジ１２から下部フランジ１３までの高さは、梁中央部１Ｂより梁中央部１Ｂの長手方向両側に位置する梁端部１Ａを低くした。そのため、床下の高さは、梁端部１Ａが梁中央部１Ｂより高くなるため、梁端部１Ａの下での床下空間が広いものとなり、床下での作業が容易となる。【選択図】図６
2015209705.tif 000002
【特許請求の範囲】
【請求項１】
ウェブと、前記ウェブの上縁に接合された上部フランジと、前記ウェブの下縁に接合された下部フランジとを備え、
前記上部フランジから前記下部フランジまでの高さは、梁中央部より前記梁中央部の長手方向両側に位置する梁端部が低いことを特徴とする床梁。
【請求項２】
請求項１に記載された床梁において、
前記上部フランジと前記下部フランジとの少なくとも一方の厚さ寸法は、前記梁端部が前記梁中央部に比べて厚いことを特徴とする床梁。
【請求項３】
請求項１又は請求項２に記載された床梁において、
前記梁端部には、前記上部フランジと前記下部フランジとの間であって前記ウェブと交差するようにスチフナが設けられていることを特徴とする床梁。
【請求項４】
請求項１から請求項３のいずれか１項に記載された床梁において、
前記梁端部には、それぞれ前記上部フランジと前記下部フランジとの間に前記ウェブと平行に補強プレートが設けられていることを特徴とする床梁。
【請求項５】
請求項４に記載された床梁において、
前記補強プレートは、前記ウェブに接合されていることを特徴とする床梁。
【請求項６】
請求項４に記載された床梁において、
前記補強プレートは、前記ウェブから離れて配置され、前記補強プレートの上縁は前記上部フランジの下面と接合され、前記補強プレートの下縁は前記下部フランジの上面と接合されていることを特徴とする床梁。
【請求項７】
請求項１から請求項６のいずれか１項に記載された床梁を支持する床梁支持構造であって、
前記梁端部を受けるとともに建物躯体に取り付けられたブラケットと、前記ブラケットと前記梁端部とを接合する接合部材とを備え、
前記ブラケットは、前記梁端部の下部フランジを支持する底面部と、前記底面部の両側にそれぞれ設けられ前記ウェブに対向する側面部とを有することを特徴とする床梁支持構造。
【請求項８】
請求項７に記載された床梁支持構造において、
前記接合部材は、前記下部フランジに予め接合されたナットと、前記底面部の長手方向に形成された長孔を挿通するとともに前記ナットに螺合されるボルトとを備えたことを特徴とする床梁支持構造。
【発明の詳細な説明】
【技術分野】
【０００１】
本発明は、ウェブの上下にフランジが接合された床梁と、この床梁を建物躯体に支持するための床梁支持構造に関する。
【背景技術】
【０００２】
床梁として、Ｈ形鋼が利用されている。Ｈ形鋼は、ウェブの上下にフランジが接合された形状であり、梁端部が建物躯体にブラケットを介して支持されている。
Ｈ形鋼からなる床梁の支持構造として、梁端部の下面を受けるリブが板状の支持体の下端に接合され、この支持体の側面が基礎の側面に対向するとともに、支持体の上端が固定板に接合され、この固定板が柱の側面に固定された取付金具がある（特許文献１）。
【先行技術文献】
【特許文献】
【０００３】
【特許文献１】実開昭６３−１７７５０５号公報
【発明の概要】
【発明が解決しようとする課題】
【０００４】
特許文献１で示される従来例では、取付金具は、Ｈ形鋼の梁端部の下面を支持する構成である。そして、床梁として利用されるＨ形鋼は、その一端部から他端部にかけて同じ梁成とされる。
床梁の強度は大きいほど好ましいものであり、Ｈ形鋼からなる床梁では、強度を大きくするには、梁成を長くする必要がある。
【０００５】
床梁の梁成を長くすると、床面の高さが高くなって、居室空間が狭くなるか、床梁下端縁が低くなって、床下空間が狭くなる。居室空間が狭いことは好ましくないので、床下空間が狭いものとならざるを得ない。
しかし、床施工後の種々の作業や、建物施工後の床下のメンテナンス作業においては、作業員が床下に潜り込まなければならないため、床下空間が狭いと、作業がしにくくなる。
【０００６】
本発明の目的は、作業するための床下空間を確保できる床梁及び床梁支持構造を提供することにある。
【課題を解決するための手段】
【０００７】
図面を参照して説明すると、本発明の床梁１は、ウェブ１１と、前記ウェブの上縁に接合された上部フランジ１２と、前記ウェブの下縁に接合された下部フランジ１３とを備え、前記上部フランジから前記下部フランジまでの高さは、梁中央部１Ｂより前記梁中央部の長手方向両側に位置する梁端部１Ａが低いことを特徴とする。
【０００８】
この発明では、梁成は、梁中央部より梁端部の高さが低いので、床下の高さ寸法は、梁端部が梁中央部より大きくなる。そのため、梁端部の下での床下空間が広いものとなり、床を施工した後の床下での作業、あるいは、建物施工後の床下のメンテナンス作業が容易となる。梁端部は基礎等の建物躯体に近接しているので、当該作業領域での作業種目が多い。そのため、梁端部での床下スペースを維持できることは、当該領域で作業する上で、好都合である。
さらに、本発明では、梁成が短いのは、梁端部であって、梁中央部ではないから、床梁全体としての強度が低下することがない。つまり、荷重を受けて床梁が撓む場合、その撓み量は、梁中央部が梁端部に比べて大きい。本発明では、梁端部の梁成を短くしても、梁中央部の梁成を少なくとも従来と同じにすることで、床梁全体としての強度を維持できる。梁端部の梁成が短くなった分、床梁全体の強度が低下するとしても、梁中央部の梁成を従来より長いものにすることで、床梁の強度を大きなものにできる。梁中央部での梁成を大きくすることで、床下スペースが狭いものとなっても、当該領域では、作業することが少ないので、作業上の不便は少ない。
【０００９】
本発明では、前記上部フランジと前記下部フランジとの少なくとも一方の厚さ寸法は、前記梁端部が前記梁中央部に比べて厚いことが好ましい。
この構成では、上部フランジ部と下部フランジ部との少なくとも一方が梁中央部より梁端部が厚いことで、梁成が短い梁端部における梁強度を大きなものにできる。
【００１０】
前記梁端部には、前記上部フランジと前記下部フランジとの間であって前記ウェブと交差するようにスチフナ１５（１５１，１５２，１５３）が設けられていることが好ましい。
この構成では、スチフナを設けることで、梁成が短い梁端部における梁強度を大きなものにできる。
【００１１】
前記梁端部には、それぞれ前記上部フランジと前記下部フランジとの間に前記ウェブと平行に補強プレート６（６１，６２）が設けられていることが好ましい。
この構成では、補強プレートを設けることで、梁成が短い梁端部における梁強度を大きなものにできる。
【００１２】
前記補強プレート６１は、前記ウェブに接合されていることが好ましい。
この構成では、補強プレートがウェブに接合されることで、ウェブ全体の厚みが増すことで、大きな補強効果を得ることができる。
【００１３】
前記補強プレート６２は、前記ウェブから離れて配置され、前記補強プレートの上縁は前記上部フランジの下面と接合され、前記補強プレートの下縁は前記下部フランジの上面と接合されていることが好ましい。
この構成では、補強プレートがウェブから離れて上部フランジと下部フランジとに接合されることで、上部フランジや下部フランジが大きな荷重によって変形することを防止できる。
【００１４】
本発明の床梁支持構造は、前述の構成の床梁を支持する構造であって、前記梁端部を受けるとともに建物躯体Ａに取り付けられたブラケット３と、前記ブラケットと前記梁端部とを接合する接合部材４とを備え、前記ブラケットは、前記梁端部の下部フランジを支持する底面部３２Ａと、前記底面部の両側にそれぞれ設けられ前記ウェブに対向する側面部３２Ｂとを有することを特徴とする。
この発明では、ブラケットによって、床梁の梁端部の下方と左右方向との位置決めがされるので、床梁を適正にブラケットに取り付けることができる。
【００１５】
前記接合部材は、前記下部フランジに予め接合されたナット４１と、前記底面部の長手方向に形成された長孔３２０を挿通するとともに前記ナットに螺合されるボルト４２とを備えたことが好ましい。
この構成では、底面部に長孔が形成されることで、ブラケットと床梁との床梁長手方向の位置がずれても、床梁をブラケットに容易にボルトとナットで接合することができる。
【図面の簡単な説明】
【００１６】
【図１】本発明の第１実施形態にかかる床梁支持構造の正面図。
【図２】床梁の平面図。
【図３】床梁の正面図。
【図４】床梁の端面図。
【図５】床梁の要部を示す正面図。
【図６】床梁支持構造の要部を示す正面図。
【図７】ブラケットの平面図。
【図８】ブラケットの正面図。
【図９】ブラケットの断面図。
【図１０】座金板の平面図。
【図１１】（Ａ）〜（Ｄ）は床梁を製造する手順を示す概略図。
【図１２】本発明の第２実施形態の床梁の要部を示す正面図。
【図１３】図１２中Ａ-Ａ線に沿う矢視断面図。
【図１４】本発明の第３実施形態の床梁の要部を示す正面図。
【図１５】図１４中Ａ-Ａ線に沿う矢視断面図。
【図１６】本発明の第４実施形態の床梁の要部を示す正面図。
【図１７】図１６中Ａ-Ａ線に沿う矢視断面図。
【図１８】本発明の第５実施形態の床梁の要部を示す正面図。
【図１９】図１８中Ａ-Ａ線に沿う矢視断面図。
【発明を実施するための形態】
【００１７】
本発明の実施形態を図面に基づいて説明する。ここで、各実施形態の説明において、同一構成要素は同一符号を付して説明を省略する。
図１から図１１には第１実施形態が示されている。
全体構成を示す図１において、第１実施形態は、鋼製の床梁１と、この床梁１の梁端部１Ａを建物躯体Ａに支持させるための床梁支持構造２とを備える。
本実施形態では、建物躯体Ａは、例えば、基礎、土台、大引き等を例示できる。床梁１は、一階部分の床梁に限定されるものではなく、二階以上に設置される床梁であってもよい。
【００１８】
床梁１の具体的な構造を図２から図５に基づいて説明する。
図２から図５において、床梁１は、ウェブ１１と、ウェブ１１の上縁に接合された上部フランジ１２と、ウェブ１１の下縁に接合された下部フランジ１３と、梁端部１Ａの端面を覆う端板部１４と、上部フランジ１２と下部フランジ１３との間に設けられたスチフナ１５と、を備えている。
上部フランジ１２は、ウェブ１１の長手方向に沿って同じ厚さ寸法とされる。
【００１９】
ウェブ１１の梁端部１Ａは、下端部が切り欠かかれて形成されている。床梁１の上部フランジ１２から下部フランジ１３までの長さ（梁成）は、長手方向の両側に位置する梁端部１Ａが梁中央部１Ｂより低い。
梁端部１Ａに位置する下部フランジ１３は、上部フランジ１２と平行に配置された接合片部１３Ａと、この接合片部１３Ａに一体形成され梁中央部１Ｂに端部が接続される傾斜片部１３Ｂとを有する。接合片部１３Ａの傾斜片部１３Ｂに対する角度のうち鈍角の角度θは、適宜設定されるが、例えば、９０°から１５０°であり、本実施形態は、１２０°である。図５では、接合片部１３Ａと傾斜片部１３Ｂの厚さ寸法ｔａは、上部フランジ１２の厚さ寸法ｔより大きい。なお、本実施形態では、上部フランジ１２や下部フランジ１３等の厚さは適宜設定できるものであり、上部フランジ１２が厚く設計されている場合は、上部フランジ１２と下部フランジ１３との厚さを等しくするものでもよい。
【００２０】
梁中央部１Ｂに位置する下部フランジ１３は、上部フランジ１２と平行に配置された底面片部１３Ｃを備え、この底面片部１３Ｃの厚さ寸法ｔｂは、上部フランジ１２の厚さ寸法ｔと同じである。底面片部１３Ｃの端部と傾斜片部１３Ｂの端部とは、突き合わされている。
端板部１４は、接合片部１３Ａと上部フランジ１２との端縁部に接合されている。端板部１４の厚さ寸法ｔｅは、接合片部１３Ａ及び傾斜片部１３Ｂの厚さ寸法ｔａと同じである。
上部フランジ１２、下部フランジ１３及び端板部１４は、同じ幅寸法である（図２及び図４参照）。なお、本実施形態では、上部フランジ１２と下部フランジ１３及び端板部１４との幅寸法を変えるものでもよく、例えば、上部フランジ１２の幅寸法を下部フランジ１３及び端板部１４の幅寸法よりも大きくしてもよい。
上部フランジ１２、下部フランジ１３及び端板部１４の幅方向（長手方向と直交する方向）の中心にウェブ１１が位置している。
【００２１】
ここで、床梁１の長さや梁成は、隣合う建物躯体Ａの間の寸法、建物躯体Ａの幅寸法、その他の条件により決定されるが、例えば、床梁１の全体の長さは、１４００ｍｍ〜５２００ｍｍ程度である。梁端部１Ａの長さは、４５０ｍｍ〜５２０ｍｍ程度であり、梁中央部の長さは、６００ｍｍ〜４０００ｍｍ程度であり、接合片部１３Ａの長さは、４２０ｍｍ程度である、
梁中央部１Ｂの梁成は、１００ｍｍ〜３５０ｍｍ程度であり、梁端部１Ａのうち接合片部１３Ａの領域の梁成は、９０ｍｍ〜１２０ｍｍ程度である。
接合片部１３Ａ、傾斜片部１３Ｂ及び端板部１４の厚さ寸法の上部フランジ１２及び底面片部１３Ｃの厚さ寸法に対する比率は、適宜設定されるが、１．２〜２．０倍程度である。例えば、接合片部１３Ａ、傾斜片部１３Ｂ及び端板部１４の厚さ寸法を６ｍｍとし、上部フランジ１２及び底面片部１３Ｃの厚さ寸法を４．５ｍｍとすることができる。
【００２２】
スチフナ１５は、底面片部１３Ｃと傾斜片部１３Ｂとの突き合わせ箇所に下端縁が接合された第一スチフナ１５１と、傾斜片部１３Ｂと接合片部１３Ａとの接続箇所に下端縁が接合された第二スチフナ１５２と、接合片部１３Ａにそれぞれ下端縁が接合された２箇所の第三スチフナ１５３とを備えている。第一スチフナ１５１、第二スチフナ１５２及び第三スチフナ１５３は、それぞれ上部フランジ１２に対して直角となるように上端縁が接合される。
第一スチフナ１５１は、ウェブ１１を挟んだ２枚が対とされている。同様に、第二スチフナ１５２は、ウェブ１１を挟んだ２枚が対とされており、第三スチフナ１５３は、それぞれウェブ１１を挟んだ２枚が対とされている。第一スチフナ１５１、第二スチフナ１５２及び第三スチフナ１５３のウェブ１１に対向した側面縁は、それぞれウェブ１１に接合されている。
スチフナ１５は、上部フランジ１２と同じ厚さ寸法である。
【００２３】
図６には床梁支持構造２の要部が示されている。
図６において、床梁支持構造２は、梁端部１Ａの一部を受けるとともに建物躯体Ａに取り付けられたブラケット３と、ブラケット３と梁端部１Ａとを接合する接合部材４とを備えている。
接合部材４は、下部フランジ１３の接合片部１３Ａに予め接合されたナット４１と、ナット４１に螺合されるボルト４２とを備えている。接合片部１３Ａにはナット４１に対応する位置にボルト挿通孔１３０が形成されている。
ボルト４２とナット４１との間には座金板５が介装されている。
ナット４１は、接合片部１３Ａであって２枚の第三スチフナ１５３に挟まれた領域に２個配置されている。これらのナット４１は、ウェブ１１を挟んで対向配置されているため、１つの梁端部１Ａにつき４個が配置されることになる（図２参照）。
【００２４】
ブラケット３は、建物躯体Ａに取り付けられる取付片部３１と、取付片部３１に接合された本体部３２とを有する。
ブラケット３の詳細な構成が図７から図９に示されている。
図７から図９において、取付片部３１は、建物躯体Ａの側面に当接する平板部３１１と、平板部３１１の上端縁に接合され建物躯体Ａの上面に係止される係止片部３１２とを有する。
平板部３１１と係止片部３１２とは１枚の金属板をプレス成形等によって折り曲げて形成されるものであり、その成形時において、平板部３１１と係止片部３１２との接続部分には複数の補強用リブ３１３が一体に形成される。補強用リブ３１３は、金属板をプレス成形等で折り曲げ形成する際に、平板部３１１と係止片部３１２とが直角となる部分に形成される凹部と、この凹部に対応する外側の部分に凸部とから構成される。
平板部３１１にはブラケット３をボルト等の取付具（図示せず）で建物躯体Ａに取り付けるための取付孔３１Ａが複数形成されている。
【００２５】
本体部３２は、梁端部１Ａの接合片部１３Ａを支持する底面部３２Ａと、底面部３２Ａの両側にそれぞれ設けられウェブ１１に対向する側面部３２Ｂと、側面部３２Ｂの上端から外側に向けて伸びた鍔部３２Ｃとを有する。
底面部３２Ａには、床梁１の長手方向に沿ってボルト４２を挿通する長孔３２０が形成されている。
鍔部３２Ｃは、上部フランジ１２の幅寸法が下部フランジ１３及び端板部１４の幅寸法より大きい場合には、上部フランジ１２の外側下端を受けることが可能となる。
【００２６】
１箇所の長孔３２０は、それぞれ床梁１の長手方向に沿って配置された２個のナット４１に対応したボルト４２を挿通するものであり、ナット４１がウェブ１１を挟んで２列配置されていることから、長孔３２０は２箇所形成されている。
互いに対向する側面部３２Ｂの間の寸法は、梁端部１Ａの水平方向の寸法と同じかやや大きい。
座金板５の構成が図１０に示されている。
図１０において、座金板５は、平面矩形状の板に４箇所のボルト挿通孔５Ａが形成された構造である。本実施形態では、４本のボルト４２をそれぞれナット４１に螺合する際に１枚の座金板５を用いるため、強度面圧を下げることができる。
【００２７】
以上の構成の第１実施形態の床梁１を建物躯体Ａで支持する方法を説明する。
まず、図１１に基づいて、床梁１を製造する方法を説明する。
図１１（Ａ）に示される通り、床梁用のＨ型鋼（例えば、ＪＩＳＧ３３５３のＳＷＨ４００）を用意し、梁端部１Ａに対応するウェブ１１及び下部フランジ１３を切断する。
その後、図１１（Ｂ）に示される通り、長尺状の鋼板から端板部１４、接合片部１３Ａ及び傾斜片部１３Ｂが一体となった部材を折曲加工等によって予め形成し、この折り曲げられた板状の部材をウェブ１１に溶接する。なお、接合片部１３Ａに予めナット４１を溶接等で接合しておく。
【００２８】
ここで、溶接箇所は、図１１（Ｃ）に示される通りである。つまり、底面片部１３Ｃと傾斜片部１３Ｂとの突き合わせ部分Ｐ１で溶接する。傾斜片部１３Ｂ及び接合片部１３Ａの曲折部とウェブ１１の下端縁入隅部との当接部分Ｐ２で溶接する。接合片部１３Ａの上面とウェブ１１の下端縁とであって２個のナット４１の間の当接部分Ｐ３で溶接する。当接部分Ｐ３のナット４１を挟んだ両側の当接部分Ｐ４で溶接する。端板部１４とウェブ１１の側縁部及び上部フランジ１２の端縁との上下に沿った当接部分Ｐ５で溶接する。
さらに、図１１（Ｄ）に示される通り、上部フランジ１２と下部フランジ１３との間の所定箇所に第一スチフナ１５１、第二スチフナ１５２及び第三スチフナ１５３を溶接等で接合する。
【００２９】
次に、このように製造された床梁１を、互いに対向する建物躯体Ａにそれぞれ取り付けられたブラケット３に支持する。
そのため、ブラケット３の取付片部３１を建物躯体Ａに取り付けておき、その後、ブラケット３の本体部３２に床梁１の梁端部１Ａを支持する。この際、床梁１の長手方向に並んだ２個のナット４１が底面部３２Ａの長孔３２０に位置するように、床梁１の位置を調整する。
その後、座金板５をブラケット３の底面部３２Ａの下方に位置させた状態で、ボルト４２をナット４１に螺合する。
【００３０】
従って、第１実施形態では次の作用効果を奏することができる。
（１）ウェブ１１と、ウェブ１１の上下に接合された上部フランジ１２及び下部フランジ１３とを備え、上部フランジ１２から下部フランジ１３までの高さを、梁中央部１Ｂより梁端部１Ａを低くした。そのため、床下の高さは、梁端部１Ａが梁中央部１Ｂより高くなるため、梁端部１Ａでの床下空間が広いものとなり、床下での作業が容易となる。
【００３１】
（２）下部フランジ１３の厚さ寸法を、梁端部１Ａが梁中央部１Ｂに比べて厚く設定したので、梁成が短い梁端部１Ａにおける梁強度を大きなものにできる。
【００３２】
（３）梁端部１Ａにおいて、上部フランジ１２と下部フランジ１３との間にスチフナ１５１〜１５３をウェブ１１と直交するように設けた。そのため、梁成が短い梁端部１Ａの梁強度をスチフナ１５１〜１５３によって大きなものにできる。
【００３３】
（４）床梁支持構造２を、梁端部１Ａを受けるブラケット３と、ブラケット３と梁端部１Ａとを接合する接合部材４とを備えた構成とした。ブラケット３を、梁端部１Ａの接合片部１３Ａを支持する底面部３２Ａと、底面部３２Ａの両側にそれぞれ設けられウェブ１１に対向する側面部３２Ｂとを有する構成とした。そのため、ブラケット３によって、床梁１の梁端部１Ａの下方と左右方向との位置決めがされるので、床梁１を適正にブラケット３に取り付けることができる。
【００３４】
（５）接合部材４を、梁端部１Ａを構成する接合片部１３Ａに予め接合されたナット４１と、底面部３２Ａの長手方向に形成された長孔３２０を挿通するボルト４２とを備えて構成した。底面部３２Ａに形成される長孔３２０によって、ブラケット３と床梁１との床梁長手方向の位置がずれても、床梁１をブラケット３に容易に取り付けることができる。
【００３５】
（６）床梁１は、接合片部１３Ａに一体形成されかつ接合片部１３Ａと上部フランジ１２との端縁部に接合される端板部１４を備えたので、床梁１のねじり等に対する強度を大きなものにできる。
【００３６】
本発明の第２実施形態を図１２及び図１３に基づいて説明する。
第２実施形態は、床梁１に補強プレートを設ける点及びスチフナの設置箇所で第１実施形態とは異なるもので、他の構成は、第１実施形態と同じである。
図１２及び図１３において、第２実施形態では、スチフナ１５のうち第二スチフナ１５２が省略されて第一スチフナ１５１及び第三スチフナ１５３が梁端部１Ａに設けられている。なお、上部フランジ１２の長手方向と直交する幅方向の寸法は、下部フランジ１３の幅方向寸法より長い。
梁端部１Ａの上部フランジ１２と下部フランジ１３との間にはウェブ１１と平行に補強プレート６が設けられている。
【００３７】
補強プレート６は、ウェブ１１の平面に重ねて接合された第一補強プレート６１と、第一補強プレート６１から離れて配置された第二補強プレート６２とを有する。これらの第一補強プレート６１と第二補強プレート６２とは、ウェブ１１を挟んでそれぞれ一対配置されている。
第一補強プレート６１と第二補強プレート６２との厚さ寸法は、同じであっても、異なってもよい。例えば、第一補強プレート６１の厚さ寸法を４．５ｍｍとし、第二補強プレート６２の厚さ寸法を６．０ｍｍとする。
【００３８】
第一補強プレート６１は、平面矩形状であり、その梁中央部側に位置する基端縁は、第一スチフナ１５１と接合され、梁中央部とは反対側に位置する先端縁は、第三スチフナ１５３に接合される。
第一補強プレート６１は、その上端縁が上部フランジ１２から離れており、その下端縁が接合片部１３Ａから離れている。
第二補強プレート６２は、平面が上部フランジ１２、接合片部１３Ａ、傾斜片部１３Ｂ、第一スチフナ１５１及び第二スチフナ側の第三スチフナ１５３で囲われた形状である。第二補強プレート６２の上縁は上部フランジ１２の下面と接合されている。第二補強プレート６２の下縁は接合片部１３Ａと傾斜片部１３Ｂとに接合されている。第二補強プレート６２は、その基端縁が第一スチフナ１５１と接合され、その先端縁が第三スチフナ１５３と接合される。
【００３９】
第２実施形態では、第１実施形態の（１）〜（６）と同じ効果を奏することができる他、次の効果を奏することができる。
（７）梁端部１Ａには、上部フランジ１２と接合片部１３Ａ及び傾斜片部１３Ｂとの間にウェブ１１と平行に補強プレート６が設けられているから、梁成が短い梁端部１Ａにおける梁強度を大きなものにできる。特に、接合片部１３Ａと傾斜片部１３Ｂという強度が低下している箇所に補強プレート６が設けられるので、効果的な床梁１の補強をすることができる。
【００４０】
（８）第一補強プレート６１は、ウェブ１１に重ねられた状態で接合されている。第一補強プレート６１がウェブ１１に接合されることで、ウェブ１１の全体の厚みを厚くすることで、大きな補強効果を得ることができる。
【００４１】
（９）第二補強プレート６２は、ウェブ１１から離れて配置され、その上縁が上部フランジ１２の下面と接合され、その下縁が接合片部１３Ａ及び傾斜片部１３Ｂの上面に接合されている。そのため、上部フランジ１２や下部フランジ１３が大きな荷重によって変形することを防止できる。
【００４２】
次に、本発明の第３実施形態を図１４及び図１５に基づいて説明する。
第３実施形態は、第２実施形態とは第一補強プレート６１を設けない点で異なり、他の構成は第２実施形態と同じである。
図１４及び図１５において、第３実施形態では、補強プレート６は、ウェブ１１の平面から離れて配置された第二補強プレート６２のみであり、第一補強プレート６１が配置されていない。
第３実施形態では、第２実施形態の（１）〜（７）（９）と同じ効果を奏することができる。
【００４３】
次に、本発明の第４実施形態を図１６及び図１７に基づいて説明する。
第４実施形態は、第２実施形態とは、２枚ある第三スチフナ１５３のうち基端側の１枚を設けない点、並びに、補強プレートの形状が異なる点で異なり、他の構成は第２実施形態と同じである。
図１６及び図１７において、第４実施形態では、スチフナ１５は、第一スチフナ１５１と端板部１４に近接した第三スチフナ１５３とから構成されている。
第一補強プレート６１は、平面矩形状であり、その基端縁は、第一スチフナ１５１と接合され、その先端縁は、第三スチフナ１５３に接合される。
【００４４】
第二補強プレート６２は、上部フランジ１２、接合片部１３Ａ、傾斜片部１３Ｂ、第一スチフナ１５１及び端板部側の第三スチフナ１５３で囲われた形状である。第二補強プレート６２は、その基端縁が第一スチフナ１５１と接合され、その先端縁が第三スチフナ１５３と接合される。
第４実施形態では、第２実施形態の（１）〜（９）と同じ効果を奏することができる。
【００４５】
次に、本発明の第５実施形態を図１８及び図１９に基づいて説明する。
第５実施形態は、第２実施形態とは第二補強プレート６２を設けない点で異なり、他の構成は第２実施形態と同じである。
図１８及び図１９において、第５実施形態では、補強プレート６は、ウェブ１１の平面に重ねて接合された第一補強プレート６１のみであり、第二補強プレート６２が配置されていない。そのため、第一補強プレート６１が外方に露出することになる。
第５実施形態では、第２実施形態の（１）〜（８）と同じ効果を奏することができる。
【００４６】
なお、本発明は、前記実施形態に限定されるものではなく、本発明の目的を達成できる範囲で以下に示される変形をも含むものである。
例えば、前記各実施形態では、床梁１の補強として、スチフナ１５及び補強プレート６を設けたが、本発明では、必ずしも、これらの補強部材を設けることを要しない。
また、本発明では、梁端部１Ａの形状を平年矩形状としてもよい。
さらに、下部フランジ１３の厚さ寸法を、梁端部１Ａが梁中央部１Ｂに比べて厚くしたが、本発明では、上部フランジ１２と下部フランジ１３との厚さ寸法を同じにしてもよく、仮に、相違させる場合であっても、上部フランジ１２の厚さを下部フランジ１３に対して厚くするものでもよい。
前記実施形態では、４本のボルト４２をそれぞれナット４１に螺合する際に１枚の座金板５を用いたが、本発明では、１枚の座金板５を用いる代わりに、ボルト４２毎に座金を用いてもよい。
【実施例】
【００４７】
本発明の効果を確認するための実施例について説明する。
［試験体］
スチフナ及び補強プレートを設けていない床梁の試験体１と、スチフナのみを設けた床梁の試験体２と、スチフナ及び補強プレートを設けた床梁の試験体３との３種類を用意した。
床梁１は、全長が３２９８ｍｍであり、梁端部１Ａの長さが４８７ｍｍであり、梁中央部１Ｂの長さが２３２４ｍｍである。梁成は、梁中央部１Ｂが２００ｍｍであり、梁端部１Ａのうち接合片部１３Ａに相当する領域が９１．５ｍｍである。
試験体２，３では、第一スチフナ１５１から第三スチフナ１５３の全てが配置されており、試験体３の補強プレートは、第５実施形態で示されるように、第一補強プレート６１のみである。なお、第一補強プレート６１の厚さ寸法は６ｍｍである。
【００４８】
［試験方法］
建物躯体Ａに取り付けられたブラケット３で床梁１の梁端部１Ａを支持させる。床梁１の両端縁から所定長さ（梁中央部１Ｂの位置）にそれぞれ荷重をかける。
各試験体１〜３に、床梁１やブラケット３が破壊するまで荷重をかけ、その際の複数地点での変位を測定する。
【００４９】
［試験結果］
スチフナや補強プレートがない試験体１では、上部フランジ１２や下部フランジ１３の座屈、ウェブ１１の破断が生じた。
スチフナ１５がある試験体２では、上部フランジ１２や下部フランジ１３の座屈が生じた。
スチフナ１５及び第一補強プレート５１がある試験体３では、床梁１自体が破壊される前に、ブラケット３から床梁１が外れた。
以上の試験結果から、スチフナ１５及び第一補強プレート６１がある試験体３、スチフナ１５のみがある試験体２、スチフナ及び補強プレートの双方がない試験体１の順番で、強度が大きいことがわかる。
【産業上の利用可能性】
【００５０】
本発明は、住宅、その他の建物の床梁に利用することができる。
【符号の説明】
【００５１】
１…床梁、１Ａ…梁端部、１Ｂ…梁中央部、２…床梁支持構造、３…ブラケット、４…接合部材、６…補強プレート、１１…ウェブ、１２…上部フランジ、１３…下部フランジ、１３Ａ…接合片部、１３Ｂ…傾斜片部、１３Ｃ…底面片部、１５…スチフナ、３２…本体部、３２Ａ…底面部、３２Ｂ…側面部、４１…ナット、４２…ボルト、６１…第一補強プレート、６２…第二補強プレート、１５１…第一スチフナ、１５２…第二スチフナ、１５３…第三スチフナ、Ａ…建物躯体
【図１】
2015209705.tif 000003
【図２】
2015209705.tif 000004
【図３】
2015209705.tif 000005
【図４】
2015209705.tif 000006
【図５】
2015209705.tif 000007
【図６】
2015209705.tif 000008
【図７】
2015209705.tif 000009
【図８】
2015209705.tif 000010
【図９】
2015209705.tif 000011
【図１０】
2015209705.tif 000012
【図１１】
2015209705.tif 000013
【図１２】
2015209705.tif 000014
【図１３】
2015209705.tif 000015
【図１４】
2015209705.tif 000016
【図１５】
2015209705.tif 000017
【図１６】
2015209705.tif 000018
【図１７】
2015209705.tif 000019
【図１８】
2015209705.tif 000020
【図１９】
2015209705.tif 000021